(57)【要約】好ましい実施形態によれば、セルラー電話ユーザーは新規なＳＩＭカード（３４）を挿入することで、サービス・プロバイダーとの初期化処理をすることなく、テレビ、有名人の放送通話、新聞、ゲーム、ビデオおよびその他のマルチメディア・サービスを、適宜選択して受信を行うことができる。アダプターは、追加のセルラー電話通信チャンネルを提供することができ、通話を行いながら、多数のチャンネル（３、４、５、６、７）上で、１つの放送を高速に受信を行うことができる。セルラー電話テレビのフリッカーは、多数のチャンネル（３、４、５、６、７）を使って受信することにより抑制することができる。各チャンネルは、それ自身のＳＩＭカード（３４）で、制御されアクティブとされる。プロダクトに特化された新規なＳＩＭカードは、特定の放送の受信を可能にするために提供される。【選択図】図１
2004535117.tif 000002
【特許請求の範囲】
【請求項１】
無線電話システム上で電話通信を可能とするコンピュータを利用した無線電話受信機（２０）であって、この無線電話受信機（２０）は、任意で電話番号と、機械読み取り可能な電子キーでエンコードされた取り外し可能な電子補助装置（３４）を備え、無線電話システムの送受信装置（１０）からの放送送信の受信機能を持ち、前記電子キーは前記無線電話システムの初期化処理を行うことなく、放送送信の受信を可能とすることを特徴とする無線電話受信機（２０）。
【請求項２】
前記無線電話受信機（２０）はセルラー電話であり、前記電子補助装置（３４）はＳＩＭカードで実装されていることを特徴とする請求項１に記載の無線電話受信機（２０）。
【請求項３】
前記無線電話受信機（２０）はセルラー無線通信が可能なコンピュータ（８，９）であり、選択肢として、折り畳み可能なコンピュータ又はラップトップ・コンピュータ（８）およびデスクトップ・コンピュータ（９）であることを特徴とする請求項１に記載の無線電話受信機（２０）。
【請求項４】
前記受信装置には、ソフトウェア又はファームウェアのインターフェースが実装され、初期化を必要とせずに、放送の認識や受信が可能となっていることを特徴とする請求項１に記載の無線電話受信機（２０）。
【請求項５】
前記無線電話受信機（２０）には、書き込み可能なメモリと、放送の受信とメモリの制御を行う為の制御ソフトウェアが実装され、前記制御ソフトウェアは、コンピュータ・ユーザーの選択に基づく受信放送の保存を行ったり行わなかったりすることを特徴とする請求項１に記載の無線電話受信機（２０）。
【請求項６】
前記電子補助装置（３４）は、コンピュータを利用した無線電話受信装置（２０）に、機械的に挿入又は取り付けられ、この無線電話受信装置（２０）で読み取られることを特徴とする請求項１に記載の無線電話受信機（２０）。
【請求項７】
前記電子キーは、所定の期間、少なくとも特定の１つのチャンネルの受信を可能にする放送個人キーであることを特徴とする請求項１に記載の無線電話受信機（２０）。
【請求項８】
前記放送個人キーは秘密コードを含み、許可される特定の放送は公開コードを含み、前記秘密コードと前記公開コードは、受信装置のロックを解除し、特定の放送を処理して、視聴者に視聴や記録を可能にすることを特徴とする請求項１に記載の無線電話受信機（２０）。
【請求項９】
前記ＳＩＭカード（３４）は、セルラー電話との方向を決める勾配付きコーナーを備えた板状の構造であり、セルラー電話の後ろのスロットへ挿入されることを特徴とする請求項２に記載の無線電話受信機（２０）。
【請求項１０】
前記ＳＩＭカード（３４）は、従来のＳＩＭカード互換のセルラー電話を、少なくとも１つの放送に特有の電話番号によって放送を受信することを可能にし、このＳＩＭカード互換のセルラー電話に（そのセルラー電話が持っていない）放送受信能力を追加することを特徴とする請求項２に記載の無線電話受信機（２０）。
【請求項１１】
前記ＳＩＭカード（３４）は、プロセッサー、１つ以上のプログラム、ランダム・アクセス・メモリ、ユーザー・データ、プロダクト・インターフェース、及び必要なら電話番号を有し、１つ以上の特定の放送へのアクセスを提供することを特徴とする請求項２に記載の無線電話受信機（２０）。
【請求項１２】
そのような放送アクセス番号は、単一のＳＩＭカード（３４）の上に、複数提供されることを特徴とする請求項２に記載の無線電話受信機（２０）。
【請求項１３】
ファンクション・キーは、自動的に１つ又は複数の特定のチャンネルのワンボタンでのアクセスおよび表示を行うようにプログラムされていることを特徴とする請求項１に記載の無線電話受信機（２０）。
【請求項１４】
前記ＳＩＭカード（３４）は、放送受信の為のセルラー電話の設定に用いるユーザー識別データやユーザーのお気に入りに関する情報を含むことを特徴とする請求項１に記載の無線電話受信機（２０）。
【請求項１５】
前記ＳＩＭカード（３４）は、２つ以上の放送から、ユーザーが希望の放送を選べるように調整可能であることを特徴とする請求項１に記載の無線電話受信機（２０）。
【請求項１６】
前記ＳＩＭカード（３４）は、複数の電話番号又は認識コードを持ち、この複数の番号の１つは、通話を受信する為のユーザーの個人的なセルラー電話番号であり、少なくとも２つ目の電話あるいはコードは、マルチメディア放送を受信するために用いられることを特徴とする請求項１に記載の無線電話受信機（２０）。
【請求項１７】
前記セルラー電話は、１つ以上の回線を追加する例えば２回線アダプターである多重回線アダプターを備えたことを特徴とする請求項１に記載の無線電話受信機（２０）。
【請求項１８】
無線電話システム上で電話通信を可能とするコンピュータを利用した無線電話受信機（２０）の為の電子補助装置（３４）であって、この電子補助装置（３４）は、任意で電話番号と、機械読み取り可能な電子キーでエンコードされ、前記電子キーは前記無線電話システムにより、放送送信の受信を可能とすることを特徴とする電子補助装置（３４）。
【請求項１９】
前記無線電話受信機（２０）は、セルラー電話と、この電子補助装置からなることを特徴とする請求項１８に記載の電子補助装置（３４）。
【請求項２０】
前記ＳＩＭカード（３４）は、セルラー電話との方向を決める勾配付きコーナーを備えた板状の構造であり、セルラー電話の後ろのスロットへ挿入されることを特徴とする請求項１９に記載の電子補助装置（３４）。
【請求項２１】
前記ＳＩＭカード（３４）は、従来のＳＩＭカード互換のセルラー電話を、少なくとも１つの放送に特有の電話番号によって放送を受信することを可能にし、このＳＩＭカード互換のセルラー電話に（そのセルラー電話が持っていない）放送受信能力を追加することを特徴とする請求項１８に記載の電子補助装置（３４）。
【請求項２２】
前記ＳＩＭカード（３４）は、プロセッサー、１つ以上のプログラム、ランダム・アクセス・メモリ、ユーザー・データ、プロダクト・インターフェース、及び必要なら電話番号を有し、１つ以上の特定の放送へのアクセスを提供することを特徴とする請求項１９に記載の電子補助装置（３４）。
【請求項２３】
そのような放送アクセス番号は、単一のＳＩＭカード（３４）の上に、複数提供されることを特徴とする請求項１９に記載の電子補助装置（３４）。
【請求項２４】
通信と、任意でプログラムや連続的なコンテンツ用チャンネルを放送する方法であって、コンピュータを利用し、任意で電話番号と機械読み取り可能な電子キーでエンコードされた取り外し可能な電子補助装置（３４）を備えた無線電話受信機（２０）の多数のユーザーへ、無線電話システムからの通信を送信し、前記電子キーは放送送信の受信を可能とし、夫々の無線電話受信機（２０）は、前記無線電話システムの初期化処理を行うことなく、前記無線電話システムから放送送信の受信を可能とし、更に、通信の放送を行う前に、前記電子キーを配布することを特徴とする通信放送方法。
【請求項２５】
信号範囲内の対応受信装置で同時に受信される１つ以上の放送を、所定の地上又は衛星上の送信機から行うことができることを特徴とする請求項２４に記載の方法。
【請求項２６】
複数のチャンネルが、送信している送受信機の範囲内の個々の受信機（２０）へ同時に放送されていることを特徴とする請求項２４に記載の方法。
【請求項２７】
前記放送は、前もって電子キーを受け取り、これにより特定の放送又は１つ以上の放送チャンネルの受信が許可されたユーザーの為に作成され、受信されることを特徴とする請求項２４に記載の方法。
【請求項２８】
前記電子キーは、サービス・プロバイダーまたはコンテンツ・プロバイダーによって配布されており、個人毎にユニークな電子的な放送個人キーであって、１つ以上の特定の放送チャンネルあるいは特定のチャンネルのコンテンツの受信、例えば、ショーやイベントの間の受信を可能とすることを特徴とする請求項２４に記載の方法。
【請求項２９】
前記ＳＩＭカード（３４）は、サービス・プロバイダーまたはコンテンツ・プロバイダーから、小売販売、卸売、通信販売あるいはインターネット経由で、前記無線電話受信機（２０）のユーザーへ配布されることを特徴とする請求項２４に記載の方法。
【請求項３０】
前記サービス・プロバイダーまたはコンテンツ・プロバイダーによって、送信された夫々の放送が、特定の前記ＳＩＭカード（３４）に組み込まれた前記電子キーによってアクセス可能なように、エンコードされており、特定の前記ＳＩＭカード（３４）は、特定の放送か特定の放送サービスに関連させ、任意で、その目的でマークされ、パッケージされ、売り込みがなされることを特徴とする請求項２４に記載の方法。
【請求項３１】
複数のサービスに対して、複数のタイプのＳＩＭカード（３４）が利用可能であり、ユーザーは、適切なＳＩＭカードを選ぶことにより、サービスを選ぶことができることを特徴とする請求項２４に記載の方法。
【請求項３２】
ユーザーは、彼らのセルラー電話（２０）に選択したＳＩＭカードを挿入することにより、前記サービス・プロバイダーによって送信され選択した放送の送信を行うことを特徴とする請求項２４に記載の方法。
【請求項３３】
前記放送は、テキスト・メッセージ、有名人との通話、マルチメディア・コンテンツ、テレビ、ビデオ、サウンド、音楽、新聞、コンピュータゲーム、物語あるいはそれらの複数の組み合わせであることを特徴とする請求項２４に記載の方法。
【請求項３４】
前記放送の受信には、前記サービス・プロバイダーとの初期化処理の為の送受信を行う必要がないことを特徴とする請求項２４に記載の方法。
【請求項３５】
前記セルラー電話が、ユーザーが放送の選択を行うことのできるデータとして、利用可能なプログラム、チャンネルあるいはイベントの受信を可能とするチューニング可能なＳＩＭカードを採用したことを特徴とする請求項２４に記載の方法。
【請求項３６】
マルチメディア放送を受信するための番号は、サービス・プロバイダーとの初期化処理を行う必要がなく、１つ以上の放送が、送信エリア内のいずれの許可ユーザー又は全ての許可ユーザーで受信可能であり、放送の電話番号又は認識コードが、特定の放送か放送チャンネルに関連付けられており、送信エリア内のすべてのユーザーが同じ電話番号又は認識コードを使用して放送を受信し、放送は送信エリア内の複数のユーザーに送信され、こられのユーザーが、セルラー電話サービス・プロバイダーによって同時に送信されたディジタル・マルチメディア放送情報を受信できることを特徴とする請求項２４に記載の方法。
【請求項３７】
複数の放送を受信できる多重チャンネルＳＩＭカードを採用したことを特徴とする請求項２４に記載の方法。
【発明の詳細な説明】
【技術分野】
【０００１】
本発明は、受信装置を持つ視聴者、特に、ある程度所在地を特定できる視聴者への、テレビ番組、新聞、コンピュータゲーム、他のマルチメディア通信、テキストファイルなどのような大きなデータ・ファイルの電子配信に関する。また、本発明は、自宅やオフィスから離れたモバイル・ユーザーへのファイルやコンテンツの電子配信に関する。
【背景技術】
【０００２】
以下に記述する背景技術は、本発明以前には業界で知られておらず、本発明によってなされた洞察、発見、理解、開示、あるいはそれらの組み合わせを含んでいる可能性がある。本発明でなされたそのような内容の幾つかは、そのように明記され、明記されないものは文脈から明らかであろう。
【０００３】
電子通信の利用は益々増加している。恐らく、米国の多くの家庭は、電子通信の受信、表示又は視聴の可能な数十の装置を所有しているであろう。そのような家庭は、多数の電話ユニット、多数の無線電話ユニットおよび多数のラジオだけでなく、多数のテレビ受信装置、インターネットに接続している多数のコンピュータを所有しているかもしれない。しかしながら、視聴者にニュース、娯楽および個人趣向の内容のような情報を伝えるための手段を改善するというニーズは常に存在する。特に、主たる受信装置の置かれた家庭又はオフィスから離れて移動しているモバイル・ユーザーに、そのような興味のあるコンテンツを提供することの可能な、よりよい手段に対するニーズが存在する。
【０００４】
インターネットによってマルチメディア・データを配信するための、様々な提案がなされている。例えばLeighton等による米国特許出願第６，１０８，７０３（「Leighton」）には、耐故障設計のなされた下部構造（第２欄および２６−３１行）として、多数のサーバーを使用して、インターネット上のコンテンツ配信の管理を行うシステムが示されている。
【０００５】
さらに、Krebsの米国特許出願第５，５５７，３２０（「Krebs」）には、ネットワーク管理プロバイダの採用によって、電話、無線通信、衛星などの雑多なネットワークを介してビデオを送信する際の輻輳問題を解決する為のビデオ配信システムが開示されている。このネットワーク管理プロバイダは、各々のビデオリクエストのスケジューリングと、各々の送信毎に行う各受信装置への制御ポイントの設定を行う（請求項１）。しかしながら、多くの人々は、インターネットに陸線の不便を感じており、これらのシステムは、インターネットへのアクセス可能なユーザーに依存している。インターネットを介して、多くのユーザーにマルチメディアのような大きなファイルを配信する為の、無線アクセス用の効率的な方法は現在存在しない。
【０００６】
関連出願の相互参照
米国指定に関して、この出願は、「BROADCAST MULTIMEDIA DELIVERY SYSTEM」の名称を持ち、２００１年５月３日に出願され、現在継続中の米国特許出願第０９／８４８，０９９号（その全開示はこの参照によってここに組込まれる）の一部継続出願である。
【０００７】
本発明は、ＰＣＴ国際特許出願第ＰＣＴ／ＵＳ０１／１４４０４号に記述された発明の変更と補足に関する改良に関する。この国際特許出願は、ペーパーレス・インタラクティブ・ニュースペーパーＬＬＣによって、米国仮特許出願第６０／２０１，７９３号の優先権を主張して２００１年５月０４日に出願され、２００１年１１月０８日に番号ＷＯ０１／８４３３９で公表されたものであり、ここでは「先の国際出願」として参照する。前述の特許公表公報第ＷＯ０１／８４３３９の全開示は、この参照によってここに組込まれる。
【発明の開示】
【０００８】
本発明は、視聴者にテレビ番組、新聞、コンピュータゲーム、他のマルチメディア通信のような大きなデータ・ファイル、テキストファイルなどを配布する問題を、以前可能だったよりも、更に有利に、また多くの場合、便利な方法で解決する。本発明は、更に、モバイル・ユーザーに対して、特に家庭かオフィスから離れている場合、そのようなファイルおよびコンテンツを配布する問題を解決する。
【０００９】
本件出願が優先権を主張する英国特許出願第０１１５３４６．９が、発明を開示した２００１年６月２２日の段階では、先の国際出願は、公になっていなかった。この英国特許出願は、互いに同じ放送を同時に受信する多数のセルラー電話ユーザーに対して情報を同時に放送することにより、情報コンテンツ、特に新聞、テレビ、音楽のようなマルチメディア・コンテンツを含む、インターネット・コンテンツのサイズの大きなディジタル情報の多量配信用のセルラー電話システムを初めて利用した発明を開示している。先の国際出願は、情報分野の利点が、どのようにモバイル・ユーザー等に容易に利用可能となるか関しての教示を含んでいる。
【００１０】
上記及び他の問題を解決する為に、本発明の１つの様相によれば、無線電話システム上で電話通信を可能とするコンピュータを利用した無線電話受信機は、無線電話システムの初期化処理を行うことなく、放送送信の受信が可能であり、任意で電話番号と、機械読み取り可能な電子キーでエンコードされた取り外し可能な電子補助装置を備え、放送通信の受信が可能となっている。好ましい実施形態では、無線電話受信機はセルラー電話であり、電子補助装置は、加入者識別モジュール又は「ＳＩＭ」カードで実装されている。
【００１１】
放送を受信するための特別な回線が、二重又は多重回線ＳＩＭカードで提供され、放送を受信するための回線は、サービス・プロバイダーとの初期化を必要としない。
【００１２】
無線放送にアクセスするのに必要な電子キー及び他の情報を、ＳＩＭカードあるいは他の取り外し可能な補助装置にエンコードするか格納することによって、本発明は、新しい装置を購入する必要も、既存の装置を修正する必要もなく、放送受信を行うことが可能となる、新規で便利な方法を提供する。多くのセルラー電話ユーザーは、既に、ＳＩＭカードユニット、特に、世界的な高度ディジタル無線通信技術であるＧＳＭ（"Global System for Mobile Communications"：グローバル移動体通信システム）サービス用のＳＩＭカードユニットを持っている。それらを使用すれば、単に、電話番号あるいは他のキーでエンコードされたＳＩＭカードを挿入することにより、本発明によるセルラー無線周波数放送の利点を享受できる。
【００１３】
無線受話器は、セルラー無線通信可能なコンピュータでもよく、例えば、ユーザーが彼らのセルラー電話を挿入してセルラー電話放送を受信できるようなドッキングポートを備えた折り畳み可能なコンピュータ又はラップトップ・コンピュータやデスクトップ・コンピュータでもよい。
【００１４】
発明の好ましい１つの実施形態では、多数の放送を可能にする単一のＳＩＭカードに多数の放送アクセス番号が格納され、多数の放送やチャンネルを同時に受信できる。例えば、１本のチャンネルで受信し保存し、別のチャンネルで、視聴を行うということができる。別の選択肢として、単一のテレビ放送あるいは他のサイズの大きなコンテンツは、２本以上のチャンネルを使って送信し受信し、全体のデータレートを増加させ、フリッカーを回避できる。
【００１５】
本発明の別の様相では、任意で電話番号と、機械読み取り可能な電子キーでエンコードされた取り外し可能な電子補助装置を備え、無線電話システム上で電話通信を可能とするコンピュータを利用した無線電話受信機は、放送通信の受信が可能で、無線電話システムの送受信装置からの放送送信の受信機能を持っている。好ましくは、無線電話受信装置はセルラー電話で実装され、電子補助装置はＳＩＭカードで実装される。
【００１６】
ＳＩＭカードは、セルラー電話との方向を決める勾配付きコーナーを備えた板状の構造であり、セルラー電話の後ろのスロット等へ挿入されるタイプとすることができる。
【００１７】
また、ＳＩＭカードは、従来のＳＩＭカード互換のセルラー電話を、少なくとも１つの放送に特有の電話番号によって放送を受信することを可能にし、このＳＩＭカード互換のセルラー電話に（そのセルラー電話が持っていない）放送受信能力を追加する。
【００１８】
本発明の別の様相では、通信と、任意でプログラムや連続的なコンテンツ用チャンネルを放送する方法が提供される。この方法では、コンピュータを利用し、無線電話システムの初期化処理を行うことなく、無線電話システムから放送送信の受信が可能な無線電話受信機の多数のユーザーへ、無線電話システムからの通信を送信し、無線電話は、任意で電話番号と機械読み取り可能な電子キーでエンコードされた取り外し可能な電子補助装置を備え、放送通信の受信が可能であり、更に、通信の放送を行う前に、電子キーを配布することを特徴とする。
【００１９】
信号範囲内の対応受信装置で同時に受信される１つ以上の放送を、必要なら送信機のセルラーネットワークを経由して、地上又は衛星上の送信機から行うことができる。選択肢として、複数のチャンネルを、送信している送受信機の範囲内の個々の受信機へ同時に放送するようにできる。
【００２０】
好ましくは、上記放送は、前もって電子キーを受け取り、これにより特定の放送又は１つ以上の放送チャンネルの受信が許可されたユーザーの為に作成され、受信される。
【発明を実施するための最良の形態】
【００２１】
図１乃至図３を参照すれば、図示されている放送システムは、多数のコンピュータを含む移動体電話或いはセルラー電話のような多数の受信装置と、これらの受信装置との双方向通信の為にマスト１２から送受信装置１０によって送受信を行うサービス・プロバイダーを含んでいる。図で参照番号３−７の付けられた多数の情報チャンネルの少なくとも一部は、マルチメディア・コンテンツを配信する。様々な異なるハードウェア受信装置を有するユーザーのコミュニティーは、このチャンネル３−７の１つ又は複数のチャンネルを受信する。
【００２２】
セルラー電話１（それらの好ましい実施形態は以下に詳細に記述される）の他に、コンピュータを含むハードウェア受信装置としては、例えば、折り畳み可能なコンピュータ又はラップトップ・コンピュータ８およびデスクトップ・コンピュータ９のようなセルラー無線通信の可能なコンピュータや、他の無線電話受信装置がある。各コンピュータ８、９は、サービス・プロバイダーの技術的又は商業的な条件によって、１つ以上の放送の受信を行う為の適切な放送周波数にチューニング可能な無線周波数受信装置を含む。例えば、受信装置には、ソフトウェア、又は好ましくはファームウェアのインターフェースが実装され、初期化を必要とせずに、又は好ましくはハンドシェイキングを必要とせずに、放送の認識や受信が可能となっている。本発明によれば、受信装置１、８、９は、好ましくは、メモリと、このメモリおよび放送の受信をコントロールする制御ソフトウェアが実装されたコンピュータを含む装置である。この制御ソフトウェアにより受信マルチメディア・データのメニューから、コンピュータ・ユーザーが選択した受信放送を保存してもよいし、保存しなくとも良い。
【００２３】
信号範囲内の全ての受信装置１、８、９は、地上又は衛星上の送信機１０からの放送を同時に受信する。セルラー電話の分野で知られているように、この信号範囲は、装置感度と共に、例えば、地理的条件、ローカルの地形、天候および他の環境上の条件によって、決まるものである。
【００２４】
図示されているように、チャンネル３、４、５、６、７の１つのチャンネルを、それを受信するユーザーの受信コミュニティーへ送信すると共に、送受信機１０の範囲内の個々の受信装置に対して、多数のチャンネルが同時に放送される。
【００２５】
好ましくは、この放送は、特定の放送又は１つ以上の放送チャンネルの受信が許可されたユーザーの為に作成され、受信される。受信を許可する手段は、サービス・プロバイダーによって、通常はコンテンツ・プロバイダーによって、あるいはどちらかの代理人によって供給され、個人毎にユニークな電子的な放送個人キーであって、１つ以上の特定の放送チャンネルあるいは特定のチャンネルのコンテンツの受信、又は、例えば３０分から６時間といったショーやイベントの間の受信を可能とする。放送個人キーは、例えば、コンピュータを含む無線電話受信装置に、機械的に挿入又は取り付けられ、この無線電話受信装置で読み取られる電子補助装置に機械読み取り可能な形式で格納されている。
【００２６】
しかしながら、より好ましくは、放送個人キーは、例えば１か月、３か月、６か月、又は１年、２年、３年、あるいは１週間の試用期間といった所定の期間、少なくとも特定の１つのチャンネルの受信を可能にする。放送個人キーは秘密コードを含み、許可される特定の放送は、公開コードを含んでもよい。秘密コードと公開コードは、受信装置で組み合わせて用いられ、特定の放送を処理して、視聴者に視聴や記録を可能にする。好ましくは、放送個人キーは、さらに個人識別子又はこの放送個人キーの出所を示す識別子を含む個人コードを含んでいる。さらに、この放送個人キーは、暗号化された放送の解読を可能にするコーディング・キーを含んでもよい。好ましくは、放送個人キーが、特定の放送信号公開キーで指定されているサービス・プロバイダーの必要条件を満たさない場合、この特定の放送の視聴あるいは記録は可能とならない。
【００２７】
秘密コード、公開コードおよび個人コードは、数値、英数字、ＡＳＣＩＩコード、グラフィック、アイコン又は機械読み取り可能なその他のコードあるいはそれらの組み合わせといった所望の形式で与えられる。
【００２８】
選択肢として、１つ以上の特定の放送は、ロックされ、暗号化され、又はアクセス不能とされる。そして、放送個人キーは、放送を復号するか、電子補助装置によって無線電話受信装置による放送を復号を可能にするのに用いられる。
【００２９】
放送個人キーは、離れた供給元あるいはサーバーから、適切に管理されたソフトウェア・ダウンロードを含む任意の適切な方法でユーザーに供給される。しかし、放送個人キーは、ファームウェアにエンコードされるか、さもなければ、セルラー電話拡張カード、スティック等の機械読み取り可能なハードウェアに、好ましくは読み出し専用のモードで保存される。特に、好ましくは、放送個人キーは、ＳＩＭカード３４かそれと同等のもののような、カードやチップ（以下、「ＳＩＭカード」と呼ぶ）として実装された修正加入者識別モジュール中でエンコードされる。ＳＩＭカードとその使用は、例えば、米国特許第５，４１８，８３７；６，１１９，０２０；６，１９５，５３１および６，１９５，５６８に記述され、これらの全開示を参照によってここに組込む。このようなＳＩＭカードは、ここに記述されているように、あるいは、この記述からの当業者に明白あるように、本発明の目的を達成するように修正することによって、本発明で用いることができる。
【００３０】
特に、図２および図３を参照すれば、セルラー送信システムにおける使用に適したポータブル無線電話２０は、どこでも利用可能な「セルラー電話」（以下このように呼ぶ）として知られており、数値およびファンクション・キーの４つの列２２と、ファンクション・キーの追加の列２４と、方向選択又はカーソル・キー２６を含んでいる。１つの好ましいセルラー電話２０は、ディジタル信号を処理することができ、コンピュータを実装し、テレビ、動画クリップ、映画あるいは他のアクション・ビデオを高品質で再生することができるビデオ・ディスプレイ２８を備えている。ボリューム調整可能なスピーカー３０は音を再生し、セルラー電話はアンテナ３２による送信を行う。
【００３１】
修正ＳＩＭカード３４は、（図示されていない）内蔵のカード読み取り機を持つセルラー電話２０の後ろのスロットへ挿入される。カード読み取り機は、セルラー電話２０のシステムで利用するデータと（必要なら）プログラムを、ＳＩＭカード３４から読み取る。ＳＩＭカード３４は、勾配付きあるいは面取りされたコーナー３６を備えた名刺状の積層板であり、コーナー３６によってホスト装置（ここではセルラー電話２０）との方向が決められる。あるいは、ＳＩＭカード３４は、セルラー電話２０の機能の変更又は追加を行うリムーバブルカードやスティック上のチップセット、又はその他の挿入可能な形態として実装される。ＵＳＢ、シリアル等の通信プロトコル、赤外線やセルラー電話アンテナを使った無線周波数による通信を行う外部装置を、外部リーダと組み合わせて利用することもできる。しかしながら、そのように外部でＳＩＭカード３４あるいは等価な装置を使うことは不便であろう。
【００３２】
１つの好ましい実施形態では、ＳＩＭカード３４は、従来のＳＩＭカード互換のセルラー電話が、少なくとも１つの放送に特有の電話番号によって放送を受信することを可能にするために必要な機能を持っている。必要なら、ＳＩＭカード３４は、ソフトウェアのダウンロードを促す機能を持っている。したがって、そのようなＳＩＭカード３４は、ＳＩＭカード互換のセルラー電話に（そのセルラー電話が持っていない）放送受信能力を追加する為に、取り付けることができる。もちろん、そのようなＳＩＭカードは、セルラー無線電話システム上の放送を提供するサービスかコンテンツ・プロバイダーに対応する。
【００３３】
適切な長さを持った光学的に判読可能なコード３８は、カードの識別の為にＳＩＭカード３４の外側表面に記録されており、例えば、許可された放送プロダクト、期間、カード発行者といった異なるカテゴリを夫々示す各グループへ分けられた文字列のシリアル番号からなっている。必要なら、コード３８は、対応する英数字を伴ったバーコードとして表記され、ＳＩＭカード３４の外部の表面に、浮き出しやその他の方法で表記される。
【００３４】
図１で示されたように、セルラー電話１や無線受信可能なコンピュータ８あるいは９を持ち、ＳＩＭカードデータによって決まる１つ以上の放送を受信したいと考えるユーザーに対して、サービス・プロバイダーまたはコンテンツ・プロバイダー３９から、ＳＩＭカード３４が配布される。この配布は、従来のセルラー電話やコンピュータを販売する従来のエレクトロニクスの販売経路には限定されず、所望する任意の小売販売、卸売、通信販売あるいはインターネット経由の販売が可能である。例えば、ニューススタンド、雑貨店および無料の宣伝用のダイレクトメール等が考えられる。好ましくは、送信機１０から送信された夫々の放送は、装置１、８および９によって読み取られるように意図され配信された特定のＳＩＭカードに組み込まれた電子キーによってアクセス可能なように、サービス・プロバイダーまたはコンテンツ・プロバイダー３９、あるいはそれらの代理人によってエンコードされている。したがって、例えば、特定のＳＩＭカード３４は特定の放送か特定の放送サービスに関連させ、その目的で、マークされ、パッケージされ、売り込みがなされる。
【００３５】
複数のタイプのＳＩＭカード３４が利用可能である。また、ユーザーは、適切なＳＩＭカード３４を選ぶことにより、彼らが受けたいサービスの種類を選ぶことができる。この選択の後、ユーザーは彼らのセルラー電話２０にＳＩＭカードを入れる。そして、サービス・プロバイダーによって送信された好きな放送を受信することができるように、セルラー電話２０の準備がなされる。
【００３６】
この放送としては、メッセージは個々に送信されるのではなく受信コミュニティーに放送されるという点を除いて、セルラー電話に送る既知のタイプの単純なテキスト・メッセージであってもよい。また、放送の内容は、一方向の通話であっても良い。例えば、エンターテイナーやニュースリーダが、多くのセルラー電話ユーザーに対して、チャットや、情報提供や、エンターテイメントや、広告を行っても良い。
【００３７】
マルチメディア・データを、セルラー電話２０が受信し、保存し、ディスプレイできるのであれば、放送データは、もっと複雑であって良い。
【００３８】
例えば、かなりのデータ記録能力があるセルラー電話２０では、ビデオ、サウンド、音楽、新聞、コンピュータゲーム、物語あるいはディジタル形式で送信することができる他のプロダクトを含む、複雑な放送サービスの受信を可能にするＳＩＭカードを利用できる。
【００３９】
放送の受信には、好ましくは、初期化手続きの為のサービス・プロバイダーとの送受信を必要としない。送信を受信する為の必要条件は、むしろ、地理的な条件、すなわち受信装置が、放送でカバーされるエリア内に存在することである。放送は、多くの送信機で同時に、あるいは、隣接した周辺でのインターフェアレンスを回避するために、交互に行うことができる。すべての受信可能な装置は、地理的な送信エリア内で、そのメモリに放送を受信し記録することができる。その後、ユーザーは、彼らのコンピュータ装置かセルラー電話メモリに放送されたデータを持つことができる。
【００４０】
図３を参照すると、修正ＳＩＭカード３４は、プロセッサー４０、１つ以上のプログラム４２および適切なメモリ４４を備え、通常は、少なくともユーザー・データ４６を含むであろう。この発明によれば、修正ＳＩＭカード３４は、プロダクト・インターフェース４８を含んでいる。プロダクト・インターフェース４８は、電話番号のように単純であり、好ましくは、送信音の受信や初期化処理を必要とせずに、１つ以上の特定の放送へのアクセスを可能とする。そのような放送アクセス番号は単一のＳＩＭカード３４の上に、望むなら、複数提供されるであろう。そのようなアクセス・コード番号は、上記の放送個人キー（又はその一部）を構成しても良い。必要なら、ＳＩＭカード３４は、上記の放送個人キーの特徴のすべて又は一部を含んでいる。
【００４１】
１つの好ましい実施形態では、ファンクション・キー、例えば、ファンクション・キー２４Ａを、特定の放送にアクセスするために利用することができる。より好ましくは、ＳＩＭカード３４が、１つ以上の特定のチャンネルの拡張使用を許可する場合、ファンクション・キー２４Ａは、自動的にこの特定のチャンネルのワンボタンでのアクセスおよび表示を行うようにプログラムされる。選択肢として、そのようなワンボタンアクセスは、セルラー電話２０の設定、例えば、マルチメディア・プレイ・モードといった、別のインターフェースを持つ特定のモードに依存するようにしても良い。
【００４２】
必要なら、ユーザー・データ４６は、ユーザー識別や、アカウント・ステータスや、請求情報を含む。アカウント・ステータスがセルラー電話２０で読み取られ、このアカウント・ステータスが「ＯＫ」の場合のみ、特定の放送や、他の放送あるいは、すべての放送が利用可能となり、放送が許可される。別の選択肢として、ＳＩＭカード３４は、放送受信を可能にする前に、人口統計値やその他の情報を提供することをユーザーに要求することができる。放送受信が可能になる前に、そのような情報はセルラー電話２０によって、サービス・プロバイダーあるいは他の離れた位置へ転送される。ユーザー・フレンドリーネスからすれば、より望ましい別の選択肢として、人口統計値の情報は、セルラー電話２０のファイルに保存され、後で、好ましくはユーザーに透過的な方法で、適切な処理センターあるいはサービス・プロバイダーへ転送される。
【００４３】
必要なら、ユーザー・データ４６は、さらにセルラー電話２０の設定や、放送受信や、他の目的のために、ユーザーのお気に入りに関する情報を含むことができる。
【００４４】
好ましくは、ＳＩＭカード３４は、セルラー電話２０の操作によって、ＳＩＭカード３４によって可能にされた２つ以上、例えば６、１２あるいは２０までの放送から、ユーザーが希望の放送を選べるように調整することが可能である。別の選択肢として、セルラー電話２０に必要なチューニングを行っておくか、あるいは単一の周波数にあらかじめＳＩＭカード３４を合わせておくことができる。チューニング可能なＳＩＭカード２０を使用すると、セルラー電話２０は、インターネットあるいはセルラー電話送信のようなリソースあるいは他の適切なリソース手段から、データ、例えば利用可能なプログラムあるいはチャンネルの選択メニュー、あるいはイベントを受信することができる。ユーザーは、好みの放送を選択するために、このデータを使用することができる。
【００４５】
上記のように、ＳＩＭカード３４は複数の電話番号を持つことができる。１つの番号は、通話を受信する為のユーザーの個人的なセルラー電話番号であり、２つ目以降の電話あるいはコードは、マルチメディア放送を受信するために用いられる。マルチメディア放送を受信するための電話番号は、サービス・プロバイダーとの初期化処理を行う必要がない地理的なエリア内のどの許可ユーザーあるいはすべての許可ユーザーは、１つ以上の放送を受信することができる。送信エリア内のすべてのユーザーが同じ電話番号を使用するように、放送の電話番号又は認識コードを、特定の放送か放送チャンネルに関連付けることができる。この放送は、送信エリア内の多数のユーザーに同時に送信することができ、ユーザーが、セルラー電話サービス・プロバイダーによって同時に送信されたディジタル・マルチメディア放送情報を受信することを可能とする。
【００４６】
例えば、新聞といった特定のプロダクトに特有の親番号部分と、例えば新聞のスポーツ欄といった親プロダクトの細分類に特有の子番号部分とからなる番号の組み合わせを用いることができる。
【００４７】
特定の放送番組やチャンネルで、大きなエリア、国、州あるいは地域をカバーする為に、サービス・プロバイダーは、多数のセルの送信機からサービスを送信することで、希望のエリアをカバーする。
【００４８】
そのようなセルが異なる周波数を使用するところでは、各番号が、大陸、国、州あるいは地域等の多数の地理的に接触するセルへのアクセスに利用されることが望ましい。しかしながら、当業者にとって、他の構成も自明である。
【００４９】
ＳＩＭカード３４にオプションのメモリ４４がある場合は、マルチメディア放送を保存するか、あるいは保存を補助する為に使用することができる。別の選択肢として、放送されたマルチメディア・データは、セルラー電話に設けられたメモリ、あるいは受信装置を備えたコンピュータに設けられたメモリに保存することができる。
【００５０】
多重チャンネルＳＩＭカード３４は、一度に１つ以上の放送の受信を可能にするために使用することができる。放送局は、多数のチャンネル上で同時に受信され、かつ単一の放送として受信されるように作成されたサービスを送信することができる。発明の本実施形態は、ビデオとテレビのような大きなデータ・ファイルの送信に特に有用である。しかし、これに限定されるものではない。そのようなファイルは適切なソフトウェアにより、ＳＩＭカードメモリ４４あるいはセルラー電話２０のメモリに保存することができる。必要なら、同じ放送を受信する他のユーザーと同時に、放送の受信に共にリアル・タイムで見ることができる。この方法で、セルラー電話ユーザーは、サービス・プロバイダーへダイヤルする必要なしに、それらのセルラー電話上のテレビあるいはビデオを見ることができる。本発明を使用すると、ユーザーは、普通のテレビと同じように、セルラー電話のスイッチを入れることにより、それらのセルラー電話上でテレビを見ることができる。多数のセルラー放送チャンネルでテレビ放送を受信することにより、フリッカーの抑制あるいは除去により改善されたテレビ・イメージが得られる。
【００５１】
マルチ・チャンネル放送の受信は、コンピュータやセルラー電話のユーザーが望む受信チャンネルを認識できるＳＩＭカード２０によって達成される。送信された放送を受信すれば、コンピュータ又はセルラー電話ソフトウェアを用いて、放送された受信マルチメディア・データを、コンピュータ又はセルラー電話ユーザーが選択した記録ファイルに記録することができる。
【００５２】
発明の別の実施形態では、ＳＩＭカード２０は、１つ以上の送信を受信し、放送と表示を許可し、保存又は表示する機能を持っている。そして、受信装置に対して、１つ以上のチャンネルで受信したマルチメディア・データを保存し、高速で送信された放送マルチメディア・データを受信する機能を与える。ユーザーのハードウェアに放送許可ＳＩＭカードを挿入することにより、サービスの受信を選んだユーザーのＳＩＭカード２０によって放送送信で通常のデータレートより高いデータレートでの放送の送信が調整され可能となる。
【００５３】
従来のセルラー電話では、電話するために、ユーザーはスイッチをオンとして、セルラーシステム・プロバイダへ「オフフック」信号を送る。セルラーシステムはオフフック信号を受信し、次に、加入者あるいは他のユーザーに送信音を返さなければならない。送信音が受信された場合、その後、ユーザーは記録装置から電話番号を入力する。電話番号は、前もってセルラー電話にセット・アップされているか、その場でサーチされた適切な周波数を使って、セルラーシステムに送信される。ユーザーによる通信の送受信が可能となる為に、セルラーシステムは電話番号を受信し、それに応答しなければならない。本発明によれば、放送の受信が非常に容易になり、また、その為の初期化手続きは省略できる。
【００５４】
この目的のために、好ましい実施形態では、ＳＩＭカード３４あるいは他の適切な手段は電話番号（又はそれと同等のもの）を提供し、好ましくは、セルラー電話２０に周波数特定コードか周波数選択コードをさらに提供する。例えば、ＳＩＭカード２０によって可能にされた放送を受信するために、ユーザーは単にユニットの電源を入れ、ＳＩＭカードによって提供されるた放送に関連した番号を「ダイヤル」又は「高速ダイヤル」することにより放送チャンネルを選択する。もちろん、放送に関連した適切なメニュー・エントリーあるいはラベルを、ユーザーが選択し、それに応じて、セルラー電話ユニットから電子的に送信されるようにして、ユーザーにとって、番号を、透過的にすることもできる。特定の放送がユーザーによって選択されたかダイヤルされた場合、セルラー電話２０では、ＳＩＭカードによる周波数の特定又は選択が行われ、１つ以上の適切な周波数あるいは周波帯へのチューニングが行われる。そして、セルラー電話２０は、その周波数上で送信されている通信の受信と処理を直ちに始めることができる。必要ならば、セルラー電話２０は、複合又は解読したり、あるいは、ユーザーの選択に応じて、放送で受信された制御コードやサブキャリアへエンコードされたコードに応答する。別のモードにおいては、特定の放送はエンコードされるかプログラムされ、ユーザーの電話を鳴らし、自動的に放送を受信し始めるようにしても良い。ユーザーの「呼び出し」や個々の操作に対するセルラーシステムのレスポンスは要求されないが、望むなら、登録やアカウント・セットアップ等で行われることはある。セルラーシステムでは知られていないが、従来の放送と同様に、ユーザーは、放送へのチューニングを行うことができる。
【００５５】
送信された放送信号は、数十、数百あるいは数千ものユーザーのコミュニティーによって受信可能な、単一の電話番号あるいはその他のコードに対して送信される。別の選択肢として、それはアドレスを持たず、予め割り当てられた周波数に単に送ることも可能である。放送の送信には、これから行う放送に関する制御コードあるいは制御情報が含まれ、放送受信に最適に受信ユニットを設定し、ユーザーがあらかじめ行った選択に合う様に受信装置を操作する。
【００５６】
図４を参照すれば、第１のＳＩＭカード３４（ＳＩＭ１）によって制御するかアクティブとされたセルラー電話２０は、２回線アダプター５０のような多重回線アダプターを付け加え、セルラー電話２０に１つ又は複数の「回線」を追加することで、ユーザーは、簡単に本発明によるメリットをより多く獲得することができる。ＳＩＭカード変換器の使用によって、セルラー電話ユーザーは、第２あるいは追加の周波帯の上で送信されているマルチメディア放送あるいは他のメッセージを受信することができる。好ましくは、アダプター５０は、さらにアクチベーションのためにＳＩＭカード３４（ＳＩＭ２）を要求する。アダプター５０および両方のＳＩＭカードをインストールした状態では、セルラー電話２０のユーザーは、セルラー電話の本来の回線上での音声会話を行いながら、アダプター５０によって提供される１つ以上の回線上の放送を受信することができる。放送は保存することも、視覚化することもできる。選択肢として、ユーザーがセルラー電話２０が多数の送信を受け取っている場合に、どの送信を聞くかを選択することを可能にするオーディオ・スイッチを設けておくことができる。上記の通り、アダプター５０が多数の追加の回線、例えば、２ないし４つの回線を提供する場合、音声通話条件に縛られずに、これらの追加の回線を組み合わせて、最適のデータレートで１つの放送を受信することができる。
【００５７】
ＳＩＭカード２０は、第２のあるいは追加の送信を、セルラー電話２０あるいはコンピュータ・ユーザーへの送信であると認識できる。多重チャンネルＳＩＭカードをセルラー電話へ取り付けることによって、この電話で、２つ以上の電話番号を有効とし、２つ以上の回線経由でベースステーションとセルラー電話２０を接続すべく、呼び出し音を鳴らせることができる。
【００５８】
アダプター５０により、セルラー電話２０に別の電話回線（又は単に回線）を与えて、テキスト、音声メッセージおよび（または）マルチメディア・データ放送サービスの受信が可能となる。好ましくは、本発明によれば、この機能は、サービス・プロバイダーで初期化を必要としない単数又は複数の追加回線用の通信プロトコルによって実装される。選択肢として、サービス・プロバイダによって、１つ以上の追加回線のための適切な番号が与えられる。情報や娯楽の新しく利用可能なマルチメディア放送の受信を行う為に、セルラー電話および受信装置を備えたコンピュータによる受信に、同じ単数又は複数のセルラー電話番号が利用できる。そして、サービス・プロバイダーは、送信機の範囲内で、同じ番号を同時に持っているすべてのセルラー電話へのメッセージを放送することができる。
【００５９】
ＳＩＭカード２０、ＳＩＭカード変換器やアダプター５０は、新聞、雑誌、インターネット経由、又は、セルラー電話会社、あるいは他の組織による無料の宣伝用として、あるいは購入のために配布することができる。
【００６０】
好ましくは、有料の広告配信を行うことで、放送サービスを無料にすることができる。別の選択肢として、予約講読、月決め請求あるいは他の適切な方法で、サービスを有料としてもよい。ユーザーの好みおよびプロフィールに応じて選択及び設定されたサービスに対応する単数又は複数の追加電話番号を用いて、人口統計値のグループ、同好ユーザーグループ、クラブおよびその他の同種のもののような異なるグループに適合する様に、放送サービスを設計できる。
【００６１】
多重チャンネルのマルチメディア放送における、即時サービス、つまり受信ライブ放送の１つの例は、例えば有名人から、彼らのファンや、ファンクラブや、その他のグループへの通話放送である。例えば、この通話放送によって、ミュージシャンが、曲目を紹介し、そのサンプルを演奏し、ＣＤやアルバムなどの販促メッセージを行うことができる。また、あらかじめ知らされている時間又は間隔だけ呼び出しを行い、ユーザーが呼び出しに答えて、有名人と直接通話を行う経験を持てるようにできる。その呼び出しでは、セルラー電話２０のディスプレイ・スクリーン２８に演奏しているミュージシャンのビデオを写すことができる。もし望むなら、ユーザーの要求によって、データをメモリに記録することができる。
【００６２】
もっと個人向けのサービスとして、適切にメッセージをエンコードすることにより、メッセージや他の通信を放送に埋め込み、対象となる特定のユーザーによってのみ受信されるメッセージを提供することができる。例えば、対象となるユーザーによって認識しうるヘッダーを持つメッセージは、放送の他の受信者によっては認識されない。メッセージが認識された場合、対象となるユーザーのセルラー電話２０は、単数又は複数のメッセージ、あるいはサウンドをダウンロードし、「メイル受信」といった表示又はポストがなされる。このように、電子メールサービスは、１つの放送に関連づけられた電話番号又は「総括的な」電話番号でアクセス可能なユーザー全体への（好ましくは２４時間）放送によって、予め取り込んだ放送の客としてのユーザーのコミュニティーに対して、特別に宛先の指定された電子メールを配信することができる。各ユーザーのセルラー電話２０は、そのユーザーへ送信され、個々のセルラー電話ユニットが応答する関連したメッセージのための放送をモニターするだけでよい。
【００６３】
このように、セルラー電話ユーザーの電子メール、ボイス・メール、音楽サービスあるいは他のパーソナル通信で、メッセージの受信にダイヤルをすることなく、何時でもダウンロードを行ってそれをレビューすることができる。
【００６４】
例えば、リーダーズ・レターは電子メールで送ることができ、あるいは、テキスト・メッセージは放送局／サービス・プロバイダーへ送られ、電子メールやそこに含まれる情報が、次回以降の放送で送信される。
【００６５】
本発明に関連するソフトウェアは、放送の受信を管理し、例えば、単語あるいは単語グループを用いて、ユーザーが興味のあるものとして指定した受信放送の保存、ソート、検索を行うことができ、ここに記載した機能を実現する為の処理を行う。ソフトウェアは受信放送を認識し、ユーザーがデータの保存を要求した場合、コンピュータまたはセルラー電話２０を制御して、メモリへの放送の保存を行う。ソフトウェアは、単語あるいは単語グループを用いた方法、あるいはその他の方法によって、特別に興味のある項目を、保存されたデータから探索し、次に、別のメモリ・ファイルへの選択されたデータを保存することができる。もしユーザーが望めば、上記装置によって、すぐに使用するデータも保存することができる。上記および他の機能のためのソフトウェアは、インターネット、ＣＤあるいは他の方法でダウンロード等を行うことができる。
【００６６】
本発明による上記の放送受信処理機能は、特に、セルラー電話との関連で記述されているが、例えば、先の国際出願の開示に照らして、本発明が、無線電話モジュールや、選択的にはセルラー電話を採用した受信装置を備えたコンピュータに適用可能であることは理解されるであろう。本発明による無線電話モジュールは、修正ＳＩＭカードを使用することができ、オンライン表示およびオーディオ再生やファイル保存のようなデータ処理能力は、デスクトップやラップトップ等のコンピュータ等へ依存するであろう。また、内蔵又は外付け無線受信カードも利用することもできる。
【００６７】
テレビ受信装置に内蔵されているか接続されるセルラー電話受信装置を用いて、放送を見ることができ、セルラー放送のテレビ受信装置での受信が可能となる。セルラー電話受信装置は、テレビ受信装置のアンテナ入力に出力することができ、従来の地上、衛星あるいはケーブルテレビ信号を受け取る為の接続を利用する。上記の通り、セルラー電話受信装置モジュールは、チューニング可能であってもよく、あるいはチューニング可能なＳＩＭカードあるいは多重チャンネルＳＩＭカードを使用することもできる。セルラー電話受信装置モジュールは、ＶＣＲのように、リモート・コントローラーを用いて、遠隔操作が可能となっており、ユーザーは、セルラー電話サービス・プロバイダーからモジュールが受信した放送プログラムを含むビューアーのプログラムから選択し、それを受信するようにモジュールのチューニングを行うことができる。この実施形態では、ユーザーが、セルラー電話テレビ放送の視聴を、小さなセルラー電話ビデオ・ディスプレイ上での視聴から、はるかに大きな標準のテレビモニター上での視聴へ、切り換えることを可能にする。テレビ受信装置によるセルラー電話放送の受信が可能になる。
【００６８】
ここに記述されたような電話放送に対応する受信装置で利用可能であれば、先の国際出願に開示されている特徴いずれでも、又は全ての特徴、サービスおよびオプションを、本発明の好ましい実施形態に組み入れることもできる。
【００６９】
産業上の利用可能性
本発明は、マルチメディアおよび他のコンテンツの送信や処理に、新たな方法と電子装置を供給し、娯楽通信産業での応用に特に有用である。
【００７０】
本発明の具体例である実施形態は上記の通りであるが、当業者にとって、様々な変形例は自明であり、また、技術の進歩に応じて様々な変形例は自明となることは理解されるであろう。多くのそのような変形例は、発明の精神および発明の範囲内において考慮される。
【図面の簡単な説明】
【００７１】
本発明とその使用や実装における幾つかの実施形態は、本発明を実施する際の最良の形態と共に、もし上に記載されていなくとも、以下に、添付の図面を参照して詳細に記述される。これら図面を通して、同じ参照番号は、対応する要素を示している。
【図１】図１は、無線通信が使用可能な多数のマルチメディア・プレーヤー装置によって受信されるマルチメディアやその他のコンテンツを放送するためのセルラー電話放送システムの概略図であり、発明の好ましい実施形態を示す。
【図２】図２は、図１に示された放送システムで実際に利用できるセルラー電話の正面図である。
【図３】図３は、図１に示されたセルラー電話で利用でき、本発明による放送送信の受信を可能にするＳＩＭカードの拡大概略図である。
【図４】図４は、図１に示された放送システムで実際に利用できるセルラー電話装置のコンポーネントを示す概略図である。
【図１】
2004535117.tif 000003
【図２】
2004535117.tif 000004
【図３】
2004535117.tif 000005
【図４】
2004535117.tif 000006
【国際公開パンフレット】
2004535117.tif 000007
2004535117.tif 000008
2004535117.tif 000009
2004535117.tif 000010
2004535117.tif 000011
2004535117.tif 000012
2004535117.tif 000013
2004535117.tif 000014
2004535117.tif 000015
2004535117.tif 000016
2004535117.tif 000017
2004535117.tif 000018
2004535117.tif 000019
2004535117.tif 000020
2004535117.tif 000021
2004535117.tif 000022
2004535117.tif 000023
2004535117.tif 000024
2004535117.tif 000025
2004535117.tif 000026
2004535117.tif 000027
2004535117.tif 000028
2004535117.tif 000029
2004535117.tif 000030
【国際公開パンフレット（コレクトバージョン）】
2004535117.tif 000031
2004535117.tif 000032
【手続補正書】
【提出日】平成15年10月22日(2003.10.22)
【手続補正１】
【補正対象書類名】特許請求の範囲
【補正対象項目名】全文
【補正方法】変更
【補正の内容】
【特許請求の範囲】
【請求項１】
無線電話システム上で電話通信を可能とするコンピュータを利用した無線電話受信機（２０）であって、この無線電話受信機（２０）は、任意で電話番号と、機械読み取り可能な電子キーでエンコードされた取り外し可能な電子補助装置（３４）を備え、セルラー電話システムの送受信装置（１０）からの放送送信の受信機能を持ち、前記無線電話システムは、放送送信のすべての許可受信機によって同時に受信されることを意図した大きなデータ・ファイルの放送送信を行い、無線電話受信機（２０）は、大きなデータ・ファイルの受信が可能なセルラー電話又はセルラー無線通信が可能なコンピュータ（８，９）からなり、更に、前記電子キーは前記無線電話システムの初期化処理を行うことなく、放送送信の受信を可能とすることを特徴とする無線電話受信機（２０）。
【請求項２】
前記無線電話受信機（２０）は大きなデータ・ファイルが保存できる十分なメモリを持ったセルラー電話であり、前記電子補助装置（３４）はＳＩＭカードで実装されていることを特徴とする請求項１に記載の無線電話受信機（２０）。
【請求項３】
前記無線電話受信機（２０）は、折り畳み可能なスクリーンを持ち、選択肢として、折り畳み可能なコンピュータ又はラップトップ・コンピュータ（８）およびデスクトップ・コンピュータ（９）であることを特徴とする請求項１に記載の無線電話受信機（２０）。
【請求項４】
前記受信装置には、ソフトウェア又はファームウェアのインターフェースが実装され、初期化を必要とせずに、放送の認識や受信が可能となっていることを特徴とする請求項１に記載の無線電話受信機（２０）。
【請求項５】
前記無線電話受信機（２０）には、ユーザーが操作できる書き込み可能なメモリと、放送の受信とメモリの制御を行う為の制御ソフトウェアが実装され、前記制御ソフトウェアは、コンピュータ・ユーザーの選択に基づく受信放送の保存を行ったり行わなかったりすることを特徴とする請求項１に記載の無線電話受信機（２０）。
【請求項６】
前記電子補助装置（３４）は、コンピュータを利用した無線電話受信装置（２０）に、機械的に挿入又は取り付けられ、この無線電話受信装置（２０）で読み取られることを特徴とする請求項１に記載の無線電話受信機（２０）。
【請求項７】
前記電子キーは、所定の期間、少なくとも特定の１つのチャンネルの受信を可能にする放送個人キーであることを特徴とする請求項１に記載の無線電話受信機（２０）。
【請求項８】
前記放送個人キーは秘密コードを含み、許可される特定の放送は公開コードを含み、前記秘密コードと前記公開コードは、受信装置のロックを解除し、特定の放送を処理して、視聴者に視聴や記録を可能にすることを特徴とする請求項１に記載の無線電話受信機（２０）。
【請求項９】
前記ＳＩＭカード（３４）は、セルラー電話との方向を決める勾配付きコーナーを備えた板状の構造であり、セルラー電話の後ろのスロットへ挿入されることを特徴とする請求項２に記載の無線電話受信機（２０）。
【請求項１０】
前記ＳＩＭカード（３４）は、従来のＳＩＭカード互換のセルラー電話を、少なくとも１つの放送に特有の電話番号によって放送を受信することを可能にし、このＳＩＭカード互換のセルラー電話に（そのセルラー電話が持っていない）放送受信能力を追加することを特徴とする請求項２に記載の無線電話受信機（２０）。
【請求項１１】
前記ＳＩＭカード（３４）は、プロセッサー、１つ以上のプログラム、ランダム・アクセス・メモリ、ユーザー・データ、プロダクト・インターフェース、及び必要なら電話番号を有し、１つ以上の特定の放送へのアクセスを提供することを特徴とする請求項１１に記載の無線電話受信機（２０）。
【請求項１２】
そのような放送アクセス番号は、単一のＳＩＭカード（３４）の上に、複数提供されることを特徴とする請求項２に記載の無線電話受信機（２０）。
【請求項１３】
ファンクション・キーは、自動的に１つ又は複数の特定のチャンネルのワンボタンでのアクセスおよび表示を行うようにプログラムされていることを特徴とする請求項１に記載の無線電話受信機（２０）。
【請求項１４】
前記ＳＩＭカード（３４）は、放送受信の為のセルラー電話の設定に用いるユーザー識別データやユーザーのお気に入りに関する情報を含むことを特徴とする請求項１０に記載の無線電話受信機（２０）。
【請求項１５】
前記ＳＩＭカード（３４）は、２つ以上の放送から、ユーザーが希望の放送を選べるように調整可能であることを特徴とする請求項１に記載の無線電話受信機（２０）。
【請求項１６】
前記ＳＩＭカード（３４）は、複数の電話番号又は認識コードを持ち、この複数の番号の１つは、通話を受信する為のユーザーの個人的なセルラー電話番号であり、少なくとも２つ目の電話あるいはコードは、マルチメディア放送を受信するために用いられることを特徴とする請求項１に記載の無線電話受信機（２０）。
【請求項１７】
前記セルラー電話は、１つ以上の回線を追加する例えば２回線アダプターである多重回線アダプターを備えたことを特徴とする請求項１に記載の無線電話受信機（２０）。
【請求項１８】
無線電話システム上で電話通信を可能とし、セルラー電話放送送信の受信を可能とするコンピュータを利用した無線電話受信機（２０）の為の電子補助装置（３４）であって、この電子補助装置（３４）は、任意で電話番号と、機械読み取り可能な電子キーでエンコードされ、ＳＩＭカードを備え、このＳＩＭカード（３４）は、従来のＳＩＭカード互換のセルラー電話を、少なくとも１つの放送に特有の電話番号によって放送を受信することを可能にし、このＳＩＭカード互換のセルラー電話に（そのセルラー電話が持っていない）放送受信能力を追加し、前記電子キーは前記無線電話システムにより、大きなデータ・ファイルの放送送信の受信を可能とすることを特徴とする電子補助装置（３４）。
【請求項１９】
前記無線電話受信機（２０）は、セルラー電話からなることを特徴とする請求項１８に記載の電子補助装置（３４）。
【請求項２０】
前記ＳＩＭカード（３４）は、セルラー電話との方向を決める勾配付きコーナーを備えた板状の構造であり、セルラー電話の後ろのスロットへ挿入されることを特徴とする請求項１９に記載の電子補助装置（３４）。
【請求項２１】
前記ＳＩＭカード（３４）は、大きなデータ・ファイルを保存でき、複数の放送アクセス番号を有することを特徴とする請求項１９に記載の電子補助装置（３４）。
【請求項２２】
前記ＳＩＭカード（３４）は、プロセッサー、１つ以上のプログラム、ランダム・アクセス・メモリ、ユーザー・データ、プロダクト・インターフェース、及び必要なら電話番号を有し、１つ以上の特定の放送へのアクセスを提供することを特徴とする請求項１９に記載の電子補助装置（３４）。
【請求項２３】
そのような放送アクセス番号は、単一のＳＩＭカード（３４）の上に、複数提供されることを特徴とする請求項１９に記載の電子補助装置（３４）。
【請求項２４】
通信と、任意でプログラムや連続的なコンテンツ用チャンネルを放送する方法であって、コンピュータを利用し、任意で電話番号と機械読み取り可能な電子キーでエンコードされた取り外し可能な電子補助装置（３４）を備えた無線電話受信機（２０）の多数のユーザーへ、無線電話システムからの通信を送信し、前記電子キーは放送送信の受信を可能とし、夫々の無線電話受信機（２０）は、前記無線電話システムの初期化処理を行うことなく、前記無線電話システムから放送送信の受信を可能とし、更に、通信の放送を行う前に、前記電子キーを配布し、信号範囲内の対応受信装置で同時に受信される１つ以上の放送を、所定の地上又は衛星上の送信機から行うことができることを特徴とする通信放送方法。
【請求項２５】
前記放送は、大きなデータ・ファイルのセルラー電話放送からなり、前記無線電話受信機は、セルラー電話であることを特徴とする請求項２４に記載の方法。
【請求項２６】
複数のチャンネルが、送信している送受信機の範囲内の個々の受信機（２０）へ同時に放送されていることを特徴とする請求項２４に記載の方法。
【請求項２７】
前記放送は、前もって電子キーを受け取り、これにより特定の放送又は１つ以上の放送チャンネルの受信が許可されたユーザーの為に作成され、受信されることを特徴とする請求項２４に記載の方法。
【請求項２８】
前記電子キーは、サービス・プロバイダーまたはコンテンツ・プロバイダーによって配布されており、個人毎にユニークな電子的な放送個人キーであって、１つ以上の特定の放送チャンネルあるいは特定のチャンネルのコンテンツの受信、例えば、ショーやイベントの間の受信を可能とすることを特徴とする請求項２４に記載の方法。
【請求項２９】
前記  ＳＩＭカード（３４）は、サービス・プロバイダーまたはコンテンツ・プロバイダーから、小売販売、卸売、通信販売あるいはインターネット経由で、前記無線電話受信機（２０）のユーザーへ配布されることを特徴とする請求項２５に記載の方法。
【請求項３０】
前記サービス・プロバイダーまたはコンテンツ・プロバイダーによって、送信された夫々の放送が、特定の前記ＳＩＭカード（３４）に組み込まれた前記電子キーによってアクセス可能なように、エンコードされており、特定の前記ＳＩＭカード（３４）は、特定の放送か特定の放送サービスに関連させ、任意で、その目的でマークされ、パッケージされ、売り込みがなされることを特徴とする請求項２４に記載の方法。
【請求項３１】
複数のサービスに対して、複数のタイプのＳＩＭカード（３４）が利用可能であり、ユーザーは、適切なＳＩＭカードを選ぶことにより、サービスを選ぶことができることを特徴とする請求項２４に記載の方法。
【請求項３２】
ユーザーは、彼らのセルラー電話（２０）に選択したＳＩＭカードを挿入し、複数の放送に特有の電話番号の中の１つを選択することにより、前記サービス・プロバイダーによって送信され選択した放送の送信を行うことを特徴とする請求項２４に記載の方法。
【請求項３３】
前記放送は、テキスト・メッセージ、有名人との通話、マルチメディア・コンテンツ、テレビ、ビデオ、サウンド、音楽、新聞、コンピュータゲーム、１つ以上の物語あるいはそれらの複数の組み合わせであることを特徴とする請求項２４に記載の方法。
【請求項３４】
前記放送の受信には、前記サービス・プロバイダーとの初期化処理の為の送受信を行う必要がないことを特徴とする請求項２５に記載の方法。
【請求項３５】
前記セルラー電話が、ユーザーが放送の選択を行うことのできるデータとして、利用可能なプログラム、チャンネルあるいはイベントの受信を可能とするチューニング可能なＳＩＭカードを採用したことを特徴とする請求項２４に記載の方法。
【請求項３６】
マルチメディア放送を受信するための番号は、サービス・プロバイダーとの初期化処理を行う必要がなく、１つ以上の放送が、送信エリア内のいずれの許可ユーザー又は全ての許可ユーザーで受信可能であり、放送の電話番号又は認識コードが、特定の放送か放送チャンネルに関連付けられており、送信エリア内のすべてのユーザーが同じ電話番号又は認識コードを使用して放送を受信し、放送は送信エリア内の複数のユーザーに送信され、こられのユーザーが、セルラー電話サービス・プロバイダーによって同時に送信されたディジタル・マルチメディア放送情報を受信できることを特徴とする請求項２５に記載の方法。
【請求項３７】
複数の放送を受信できる多重チャンネルＳＩＭカードを採用したことを特徴とする請求項２４、２５又は３５に記載の方法。
【請求項３８】
特定のユーザーのみを対象とし、特定のユーザーのみによって受信される個人向けメッセージや他の通信を、任意でエンコードすることにより、放送に埋め込むことを特徴とする請求項２４に記載の方法。
【請求項３９】
マルチメディア・データを表示する折り畳み可能なスクリーンを備え、このスクリーンは、２つ以上の折り畳み可能な部分に分かれており、開いた状態で１つのスクリーンとして表示されることを特徴とする請求項３に記載の無線電話受信機（２０）。
【請求項４０】
新聞のような大きなデータファイルの閲覧や、テレビやフィルムやその他全てのマルチメディア・データの視聴を容易にする為に、移動可能なスクリーンを備えたことを特徴とする請求項１に記載の無線電話受信機（２０）。
【請求項４１】
複数のチャンネルを用いるセルラー電話送信機からのマルチメディアデータ放送を受信できるチューニング可能又はチューニング不可能なコンピュータを利用したセルラー電話受信装置。
【請求項４２】
ユーザーが、複数の利用可能な放送の中から、所望の放送を選択できるようにチューニング可能であることを特徴とするセルラー電話、ＳＩＭカード、コンピュータを利用した無線電話受信機又はメモリスティック。
【請求項４３】
受信セルラー放送を見ることができる、テレビ受信装置に内蔵されているか接続されるセルラー電話受信装置を備え、任意で、セルラー電話受信装置は、テレビ受信装置のアンテナ入力に出力することができ、従来の地上、衛星あるいはケーブルテレビ信号を受け取る為の接続を利用することを特徴とする請求項１に記載の無線電話受信機（２０）。
【請求項４４】
受信放送データファイルの受信や保存を制御する処理を含み、利用可能なマルチメディア・データの受信放送メニューから、コンピュータ・ユーザーが任意に行った選択に基づく受信放送について、ユーザーがその保存を行ったり、行わなかったり、再生や表示することを可能とし、任意で、その編集を可能とすることを特徴とする請求項１に記載の無線電話受信機（２０）。
【国際調査報告】
2004535117.tif 000033